(57)【要約】  【課題】  野球、サッカー等の放送時間が延長される可能性のある番組の後に放送される番組を記録予約する場合に、記録する番組を途切れること無く記録することが可能で、また記録した番組の再生時及び編集時の作業性を向上させることが可能なハードディスクレコーダ等の記録装置を提供する。  【解決手段】  記録装置１は、電子番組表に基づいて、記録予約に係る予約番組と同じチャンネルで、予約番組の前に放送される番組に、放送時間が延長される可能性のある延長可番組の有無を判定し、延長可番組があると判定した場合に、予約番組の記録終了時刻を、予め設定されている所定延長時間分延長し、更に延長して記録する予約番組に時間的な区切位置を示す区切情報を挿入して記録する。【選択図】      図１
2007060275.tif 000002
【特許請求の範囲】
【請求項１】
放送される番組を受信する手段と、受信する番組の放送時刻を含む放送予定を示す電子番組表を取得する手段と、受信した番組を記録する手段と、番組の記録予約を受け付ける手段とを備える記録装置において、
電子番組表に基づいて、記録予約に係る予約番組と同じチャンネルで、予約番組の前に放送される番組に、放送時間が延長される可能性のある延長可番組の有無を判定する判定手段と、
該判定手段により、延長可番組があると判定した場合に、
予約番組の記録終了時刻を、予め設定されている所定延長時間分延長する延長手段と、
延長して記録する予約番組に時間的な区切位置を示す区切情報を挿入して記録する挿入手段と
を備えることを特徴とする記録装置。
【請求項２】
前記判定手段は、電子番組表により示される番組の名称、内容又は出演者に、予め設定されているキーワードが含まれている場合に、延長される可能性があると判定する様に構成してあることを特徴とする請求項１に記載の記録装置。
【請求項３】
前記挿入手段は、予約番組の記録開始時刻からの時間が、所定延長時間に相当する時間に到達した時に区切情報を挿入する様に構成してあることを特徴とする請求項１又は請求項２に記載の記録装置。
【請求項４】
前記挿入手段は、予約番組の記録開始時刻から、所定延長時間より短く設定されている区切時間毎に、区切情報を挿入する様に構成してあることを特徴とする請求項１乃至請求項３のいずれかひとつに記載の記録装置。
【請求項５】
前記挿入手段は、予約番組の記録開始時刻からの時間が、所定延長時間に相当する時間に到達するまで区切情報を挿入する様に構成してあることを特徴とする請求項４に記載の記録装置。
【請求項６】
前記挿入手段は、延長前の記録終了時刻に到達した時に区切情報を挿入する様に構成してあることを特徴とする請求項１乃至請求項５のいずれかひとつに記載の記録装置。
【請求項７】
前記挿入手段は、延長前に設定されている記録終了時刻に到達後、所定延長時間より短く設定されている区切時間毎に、区切情報を挿入する様に構成してあることを特徴とする請求項１乃至請求項６のいずれかひとつに記載の記録装置。
【請求項８】
前記延長手段は、放送再開から放送休止までに連続して放送される複数の番組の中で、延長可番組の放送後から放送休止までに放送される予約番組の記録終了時刻を延長する様に構成してあることを特徴とする請求項１乃至請求項７のいずれかひとつに記載の記録装置。
【発明の詳細な説明】
【技術分野】
【０００１】
本発明は、放送される番組を記録する記録装置に関し、特に番組の放送時間の変更に対しても対応することが可能な記録装置に関する。
【背景技術】
【０００２】
放送されるテレビ番組の記録を行うビデオテープレコーダ、ハードディスクレコーダ等の記録装置が普及している。記録装置は、チャンネル、記録開始時刻及び記録終了時刻を予め設定しておくことにより、テレビ番組を自動的に記録する記録予約の機能を備えている。特に最近では、電子番組表（ＥＰＧ：Ｅｌｅｃｔｒｏｎｉｃ  Ｐｒｏｇｒａｍ  Ｇｕｉｄｅ）にて示されるテレビ番組表に基づいて、テレビ番組の記録予約の設定を行う記録装置が実用化されている（例えば特許文献１参照。）。
【特許文献１】特開２００２−２５２８１３号公報
【発明の開示】
【発明が解決しようとする課題】
【０００３】
しかしながら野球、サッカー等のスポーツ中継番組は、予定時間内に試合が終了せず、番組の放送時間が延長される場合があり、スポーツ中継番組の放送時間が延長されると、以降に放送される番組の放送開始時刻及び放送終了時刻が遅れるため、スポーツ中継番組の後に放送される所望の番組を最初から最後まで記録することができない場合が発生する可能性があるという問題がある。例えば番組の延長が電子番組表に反映されないアナログ放送の番組を、電子番組表に基づいて記録予約の設定を行っている場合、このような状況が発生し易い。
【０００４】
そこで記録装置を操作するユーザが、延長の可能性を考慮して記録予約の記録終了時刻を遅らせて設定することで、スポーツ中継番組の後に放送される所望の番組を記録することが行われているが、このようにして記録された番組を再生する場合、記録された番組の開始位置の検索、所謂頭出しが面倒であるという作業性についての問題がある。
【０００５】
また記録した番組を長期保存する場合、記録容量の節約等の目的のため、番組終了後に所望する番組以外の記録内容を削除する編集作業が面倒であるという作業性についての問題がある。
【０００６】
本発明は斯かる事情に鑑みてなされたものであり、記録予約した番組の前に、放送時間が延長される可能性のある番組が存在する場合、記録予約した番組の記録終了時刻を延長すると共に、番組の記録時に時間的な区切位置を示す区切情報を挿入することにより、所望の番組を最初から最後まで記録することが可能で、しかも編集時の作業性を改善することが可能な記録装置の提供を目的とする。
【課題を解決するための手段】
【０００７】
本発明に係る記録装置は、放送される番組を受信する手段と、受信する番組の放送時刻を含む放送予定を示す電子番組表を取得する手段と、受信した番組を記録する手段と、番組の記録予約を受け付ける手段とを備える記録装置において、電子番組表に基づいて、記録予約に係る予約番組と同じチャンネルで、予約番組の前に放送される番組に、放送時間が延長される可能性のある延長可番組の有無を判定する判定手段と、該判定手段により、延長可番組があると判定した場合に、予約番組の記録終了時刻を、予め設定されている所定延長時間分延長する延長手段と、延長して記録する予約番組に時間的な区切位置を示す区切情報を挿入して記録する挿入手段とを備えることを特徴とする。
【０００８】
本発明では、延長可番組の放送時間が延長された場合でも、予約番組を途切れることなく録画することが可能であり、また挿入される区切情報により、再生時及び編集時の作業性を向上させることが可能である。
【０００９】
本発明に係る記録装置は、前記判定手段は、電子番組表により示される番組の名称、内容又は出演者に、予め設定されているキーワードが含まれている場合に、延長される可能性があると判定する様に構成してあることを特徴とする。
【００１０】
本発明では、番組の名称、内容又は出演者に含まれる競技名、チーム名、大会名等のキーワードに基づいて延長される可能性の有無を判定することが可能である。
【００１１】
本発明に係る記録装置は、前記挿入手段は、予約番組の記録開始時刻からの時間が、所定延長時間に相当する時間に到達した時に区切情報を挿入する様に構成してあることを特徴とする。
【００１２】
本発明では、例えば所定延長時間が最大延長時間に相当する３０分である場合に、記録開始から３０分後に区切情報を挿入することにより、延長可番組が最大延長時間分延長されていたとしても、予約番組の再生時に予約番組の開始位置の検索、所謂頭出しを容易に行うことが可能である。
【００１３】
本発明に係る記録装置は、前記挿入手段は、予約番組の記録開始時刻から、所定延長時間より短く設定されている区切時間毎に、区切情報を挿入する様に構成してあることを特徴とする。
【００１４】
本発明では、例えば５分等の区切時間毎に区切情報を挿入することにより、延長可番組の延長時間に関わらず、予約番組の再生時に予約番組の開始位置の検索を容易に行うことが可能である。
【００１５】
本発明に係る記録装置は、前記挿入手段は、予約番組の記録開始時刻からの時間が、所定延長時間に相当する時間に到達するまで区切情報を挿入する様に構成してあることを特徴とする。
【００１６】
本発明では、例えば所定延長時間が３０分で、区切時間が５分である場合に、記録開始から３０分後まで５分毎に区切情報が挿入されるので、延長可番組の延長時間に関わらず、予約番組の再生時に予約番組の開始位置の検索を容易に行うことが可能であり、しかも必要以上に区切情報が挿入されることを防止することが可能である。
【００１７】
本発明に係る記録装置は、前記挿入手段は、延長前の記録終了時刻に到達した時に区切情報を挿入する様に構成してあることを特徴とする。
【００１８】
本発明では、本来の記録終了時刻に区切情報を挿入することにより、延長可番組が延長されなかった場合、不要な延長部分を削除する編集作業を容易に行うことが可能である。
【００１９】
本発明に係る記録装置は、前記挿入手段は、延長前に設定されている記録終了時刻に到達後、所定延長時間より短く設定されている区切時間毎に、区切情報を挿入する様に構成してあることを特徴とする。
【００２０】
本発明では、例えば５分等の区切時間毎に区切情報を挿入することにより、不要な延長部分を削除する編集作業を容易に行うことが可能である。
【００２１】
本発明に係る記録装置は、前記延長手段は、放送再開から放送休止までに連続して放送される複数の番組の中で、延長可番組の放送後から放送休止までに放送される予約番組の記録終了時刻を延長する様に構成してあることを特徴とする。
【００２２】
本発明では、延長可番組の延長の影響を受けると考えられる全ての番組に対して、記録終了時刻を延長することが可能である。
【発明の効果】
【００２３】
本発明は、ビデオテープレコーダ、ハードディスクレコーダ等の記録装置において、電子番組表に基づき、記録予約に係る予約番組と同じチェンネルで、予約番組の前に放送される番組に、放送時間が延長される可能性のあるスポーツ中継番組等の延長可番組の有無を判定し、延長可番組があると判定した場合に、予約番組の記録終了時刻を、予め設定されている所定延長時間分延長し、延長して記録する予約番組に時間的な区切位置を示すチャプタ等の区切情報を挿入して記録する。
【００２４】
この構成により、本発明では、延長可番組の放送時間が延長された場合でも、予約番組を途切れることなく録画することが可能であり、また挿入される区切情報により、再生時及び編集時の作業性を向上させることが可能である等、優れた効果を奏する。
【００２５】
また本発明は、予約番組の記録開始時刻からの時間が、所定延長時間に相当する時間に到達した時に区切情報を挿入することにより、例えば所定延長時間が最大延長時間に相当する３０分である場合に、記録開始から３０分後に区切情報が挿入されるので、延長可番組が最大延長時間分延長されていたとしても、予約番組の再生時に予約番組の開始位置の検索、所謂頭出しを容易に行うことが可能である等、優れた効果を奏する。
【００２６】
さらに本発明は、例えば記録開始から、３０分等の所定延長時間に相当する時間に到達するまで、５分等の区切時間毎に区切情報を挿入することにより、延長可番組の延長時間に関わらず、予約番組の再生時に予約番組の開始位置の検索を容易に行うことが可能であり、しかも必要以上に区切情報が挿入されることを防止することが可能である等、優れた効果を奏する。
【００２７】
また本発明は、延長前の記録終了時刻に到達した時に区切情報を挿入し、更にその時点から５分等の区切時間毎に区切情報を挿入することにより、延長可番組が延長されなかった場合又は延長可番組の延長時間が所定苑貯時間未満であった場合に、不要な延長部分の開始位置を検索することができるので、不要な部分を削除する編集作業を容易に行うことが可能である等、優れた効果を奏する。
【００２８】
そして本発明は、放送再開から放送休止までに連続して放送される複数の番組の中で、延長可番組の放送後から放送休止までに放送される予約番組の記録終了時刻を延長することにより、延長可番組の延長の影響を受けると考えられる全ての番組に対して、記録終了時刻を延長することが可能である等、優れた効果を奏する。
【発明を実施するための最良の形態】
【００２９】
以下、本発明をその実施の形態を示す図面に基づいて詳述する。図１は、本発明の記録装置の構成例を示すブロック図である。図１中１は、ハードディスクレコーダを用いた本発明の記録装置であり、記録装置１には、ＣＲＴディスプレイ、液晶ディスプレイ等の表示装置２が映像信号及び音声信号を伝送する伝送線にて接続されている。さらに記録装置１には、地上アナログ放送等の放送波として送信される放送番組を受信するアンテナ３が接続されており、またユーザが操作するリモートコントローラ等の操作装置４から出力される赤外線等の操作用の電磁波を受信し、電磁波として受信した操作信号に基づいて動作する。
【００３０】
記録装置１は、装置全体を制御するＣＰＵ等の制御手段１０１と、制御手段１０１の制御により実行されるプログラム及びデータ等の各種情報を記録するＲＯＭ等の記録手段１０２と、制御手段１０１の制御によるプログラムの実行時に発生するデータを一時的に記憶するＲＡＭ等の記憶手段１０３とを備えている。また記録装置１は、ハードディスクドライブ等の記録媒体１０４と、記録媒体１０４にアクセスして各種情報の記録（録画）／読取（再生）を行う記録／読取手段１０５とを備えている。
【００３１】
記録装置１は、アンテナ３に接続し、アンテナ３から受信した地上波アナログ放送等の放送波から所望のチャンネルの放送番組、及び該放送番組と共に送信され、番組の放送時刻を含む放送予定を示した電子番組表（以下、ＥＰＧ情報という）を取得するチューナ等の取得手段１０６を備えている。そして記録装置１では、アンテナ３にて受信し、取得手段１０６にて取得した放送波であるアナログ信号を、Ａ／Ｄ変換手段１０７にてデジタル信号に変換し、出力手段１０８から映像信号及び音声信号として表示装置２へ出力する。ただし取得手段１０６にて取得された放送番組が記録すべき放送番組である場合、記録装置１では、放送番組をＭＰ２等の所定の圧縮符号化方法にて符号化し、記録媒体１０４に記録する。また取得されたＥＰＧ情報も、記憶手段１０３への記憶又は記録媒体１０４への記録が行われる。なお記録装置１は、ＥＰＧ情報を、アンテナ３にて受信することで取得するのではなく、図示しないネットワーク上に設けられＥＰＧ情報を記録しているＥＰＧサーバからダウンロードすることで取得する様にしても良い。
【００３２】
記録装置１は、更に、ユーザの操作を受け付ける押釦等の操作手段１０９と、必要に応じて各種情報を表示するＬＥＤパネル等の表示手段１１０とを備えている。そしてユーザは、操作手段１０９を操作する入力を行うことにより、記録装置１は、操作手段１０９により操作を受け付け、受け付けた操作に基づいて動作する。また記録装置１は、赤外線等の電磁波を受信する受光手段１１１を備えており、ユーザが操作装置４を操作する入力を行うことで、操作装置４は、操作を受け付け受け付けた操作の内容を示す操作信号を出力し、記録装置１は、受光手段１１１により操作信号を受信し、受信した操作信号が示す操作内容に基づいて動作する。
【００３３】
さらに記録装置１は、年、月、日、時、分及び秒を示す時計を有する日時管理手段１１２と、記録予約（タイマ録画）の管理を行う予約管理手段１１３とを備えており、予約管理手段１１３は、番組の記録予約の内容を記憶し、日時管理手段１１２の時間管理に基づいて番組の記録処理を行う。予約管理手段１１３にて管理する記録予約は、ユーザが操作手段１０９又は操作装置４を操作して、記録すべき番組のチャンネル、開始時刻及び終了時刻を入力することにより行うこともできるが、ＥＰＧ情報を用いて行うことも可能である。具体的には、ＥＰＧ情報に基づく番組表を表示させ、ユーザが操作手段１０９又は操作装置４を操作して、番組表内に表示された番組を指定する方法、記録予約すべき番組の条件を設定する方法等の方法により行われる。記録予約すべき番組の条件とは、例えば番組のタイトル（名称）、内容又は出演者に指定されたキーワードが含まれているか否か、番組のジャンル、番組の放送時間等の条件である。
【００３４】
次に本発明の記録装置１の各種処理について説明する。図２は、本発明の記録装置１の記録予約変更処理を示すフローチャートである。記録装置１は、制御手段１０１の制御により、予約管理手段１１３にて管理している記録予約された予約番組の記録開始時刻が近づいた場合、例えば記録開始時刻の３分前に、ＥＰＧ情報に基づいて、記録予約に係る予約番組と同じチャンネルで、予約番組の前に放送される番組に、放送時間が延長される可能性のある延長可番組の有無を判定する（Ｓ１０１）。
【００３５】
延長可番組とは、例えば放送時間が延長される可能性のある野球、サッカー等のスポーツを生中継する番組であり、ＥＰＧ番組のタイトル、内容又は出演者に、スポーツを生中継する番組であることを示す競技名、チーム名、競技者名、大会名等のキーワードが含まれているか否かにより判定し、キーワードが含まれていれば延長される可能性があると判断する。なおスポーツを生中継する番組を特定することができるのであれば、キーワード以外の方法、例えばＥＰＧ情報に含まれる番組のジャンルを示す情報等の情報に基づいて判定する様にしても良い。またＥＰＧ情報は、例えば午前５時等の放送再開時刻から午前３時等の放送休止時刻までに連続して放送される一連の複数の番組を一日分の放送番組として含んでおり、予約番組の前に放送される番組とは、予約番組と同じ日に、放送開始時刻が予約番組の放送開始時刻より前である番組を示す。なおここでいう同じ日とは、午前０時で変更される実際の日付に基づく日ではなく、放送再開時刻から放送休止時刻までの連続して放送される一連の番組が放送される時間帯を示す。即ちステップＳ１０１では、予約番組の放送時刻の変動の要因となる延長可番組が存在するか否かを判定するのである。
【００３６】
ステップＳ１０１において延長可番組が存在すると判定した場合（Ｓ１０１：ＹＥＳ）、記録装置１は、制御手段１０１の制御により、予約番組の記録終了時刻を、予め設定されている所定延長時間分延長し（Ｓ１０２）、所定時間分延長することで記録終了時刻を変更した内容に記録予約を変更し（Ｓ１０３）、処理を終了する。所定延長時間分とは、３０分等の任意に設定可能な時間であり、予約管理手段１１３により管理されている時間である。例えば予約番組の記録開始時刻が２１：００であり、記録終了時刻が２１：５４である場合に、記録開始時刻を２１：００のままとしながら、記録終了時刻を２２：２４に変更する。
【００３７】
Ｓ１０１において延長可番組が存在しないと判定した場合（Ｓ１０１：ＮＯ）、ステップＳ１０２以降の処理は行わず、処理を終了する。
【００３８】
なお記録予約変更処理を行うことにより、自動的に延長可番組の判定を行うだけでなく、ユーザがＥＰＧ情報を表示させ、記録装置１に対し、延長可番組を手動で設定する様にしても良い。この場合、ステップＳ１０１では、キーワードにより延長可番組が存在するか否かを判定するだけでなく、設定されている延長可番組が存在するか否かも判定する。
【００３９】
図３は、本発明の記録装置１の記録処理を示すフローチャートである。記録装置１は、記録終了時刻を変更した予約番組の記録開始時刻に到達すると、予約番組の記録処理を開始する。記録装置１は、制御手段１０１の制御により、記録終了時刻を変更した予約番組の記録処理を開始し（Ｓ２０１）、記録処理中の予約番組に時間的な区切位置を示す区切情報（チャプタ）を挿入して記録する（Ｓ２０２）。
【００４０】
挿入される区切情報は、予約番組の記録開始時刻から、所定延長時間より短く設定されている区切時間毎に、所定延長時間に相当する時間に到達するまで、区切情報を挿入する。具体的には、予約番組の記録開始時刻が２１：００であり、所定延長時間及び区切時間が夫々３０分及び５分に設定されている場合、時刻２１：０５、２１：１０、２１：１５、２１：２０、２１：２５及び２１：３０において、区切情報を挿入して記録する。また記録開始時刻からの経過時間が、所定延長時間に相当する時間に相当するまで区切情報を挿入する。また記録開始から所定延長時間に相当する時間に到達した時に区切情報を挿入するのであるが、記録開始から所定延長時間に相当する時間に到達した時とは２１：３０になる。この場合、２１：３０は既に区切情報が挿入されているので、二重に区切情報を挿入する必要はないが、２１：３０に挿入する区切情報は、他の区切情報と異なる属性を付与して挿入する様にしても良い。
【００４１】
さらに記録装置１では、延長前の記録終了時刻に到達した時に区切情報を挿入する。具体的には、延長前の記録終了時刻が２２：５４であり、所定延長時間である３０分の延長により記録終了時刻が２３：２４に変更された場合、時刻２２：５４において、区切情報を挿入する。また延長前に設定されている記録終了時刻に到達後、所定延長時間より短く設定されている区切時間毎に、区切情報を挿入する。例えば区切時間が５分に設定されている場合、２２：５９、２３：０４、２３：０９、２３：１４及び２３：１９に区切情報を挿入する。
【００４２】
このようにして区切情報を挿入することにより、区切情報にて示される位置の検索、即ち頭出しを行うことが可能となる。
【００４３】
前記実施の形態では、所定延長時間が３０分であり、区切時間が５分である形態を示したが、本発明はこれに限らず、任意に設定することが可能であり、また記録開始からの区切情報の挿入及び延長時間での区切情報の挿入のいずれか一方のみを行う様な形態であっても良く、また夫々の区切時間を別々に設定する様にしても良い。
【００４４】
また前記実施の形態では、アナログ放送の番組の記録時に適用する形態を示したが、本発明はこれに限らず、地上波デジタル放送、衛星放送等のデジタル放送の記録時に適用する様にしても良い。
【００４５】
さらに前記実施の形態では、ハードディスクレコーダを記録装置とする形態を示したが、本発明はこれに限らず、ビデオテープレコーダ、ＤＶＤレコーダ等の他の記録装置に適用する様にしても良く、更にはカセットテープレコーダ、ＭＤレコーダ等の映像を伴わないラジオ等の音声を記録する記録装置に適用する様にしても良い。
【図面の簡単な説明】
【００４６】
【図１】本発明の記録装置の構成例を示すブロック図である。
【図２】本発明の記録装置の記録予約変更処理を示すフローチャートである。
【図３】本発明の記録装置の記録処理を示すフローチャートである。
【符号の説明】
【００４７】
１  記録装置
１０１  制御手段
１０２  記録手段
１０５  記録再生手段
１１２  日時管理手段
１１３  予約管理手段
【図１】
2007060275.tif 000003
【図２】
2007060275.tif 000004
【図３】
2007060275.tif 000005
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
放送される番組を受信する手段と、受信する番組の放送時刻を含む放送予定を示す電子番組表を取得する手段と、受信した番組を記録する手段と、番組の記録予約を受け付ける手段とを備える記録装置において、
電子番組表に基づいて、記録予約に係る予約番組と同じチャンネルで、予約番組の前に放送される番組に、放送時間が延長される可能性のある延長可番組の有無を判定する判定手段と、
該判定手段により、延長可番組があると判定した場合に、
予約番組の記録終了時刻を、予め設定されている所定延長時間分延長する延長手段と、
延長して記録する予約番組に時間的な区切位置を示す区切情報を挿入して記録する挿入手段と
を備え、
該挿入手段は、予約番組の記録開始時刻から、所定延長時間より短く設定されている区切時間毎に、区切情報を挿入する様に構成してある
ことを特徴とする記録装置。
【請求項２】
前記判定手段は、電子番組表により示される番組の名称、内容又は出演者に、予め設定されているキーワードが含まれている場合に、延長される可能性があると判定する様に構成してあることを特徴とする請求項１に記載の記録装置。
【請求項３】
前記挿入手段は、予約番組の記録開始時刻からの時間が、所定延長時間に相当する時間に到達した時に区切情報を挿入する様に構成してあることを特徴とする請求項１又は請求項２に記載の記録装置。
【請求項４】
前記挿入手段は、予約番組の記録開始時刻からの時間が、所定延長時間に相当する時間に到達するまで区切情報を挿入する様に構成してあることを特徴とする請求項１乃至請求項３のいずれかひとつに記載の記録装置。
【請求項５】
前記挿入手段は、延長前の記録終了時刻に到達した時に区切情報を挿入する様に構成してあることを特徴とする請求項１乃至請求項４のいずれかひとつに記載の記録装置。
【請求項６】
前記挿入手段は、延長前に設定されている記録終了時刻に到達後、所定延長時間より短く設定されている区切時間毎に、区切情報を挿入する様に構成してあることを特徴とする請求項１乃至請求項５のいずれかひとつに記載の記録装置。
【請求項７】
前記延長手段は、放送再開から放送休止までに連続して放送される複数の番組の中で、延長可番組の放送後から放送休止までに放送される予約番組の記録終了時刻を延長する様に構成してあることを特徴とする請求項１乃至請求項６のいずれかひとつに記載の記録装置。
【手続補正２】
【補正対象書類名】明細書
【補正対象項目名】０００７
【補正方法】変更
【補正の内容】
【０００７】
本発明に係る記録装置は、放送される番組を受信する手段と、受信する番組の放送時刻を含む放送予定を示す電子番組表を取得する手段と、受信した番組を記録する手段と、番組の記録予約を受け付ける手段とを備える記録装置において、電子番組表に基づいて、記録予約に係る予約番組と同じチャンネルで、予約番組の前に放送される番組に、放送時間が延長される可能性のある延長可番組の有無を判定する判定手段と、該判定手段により、延長可番組があると判定した場合に、予約番組の記録終了時刻を、予め設定されている所定延長時間分延長する延長手段と、延長して記録する予約番組に時間的な区切位置を示す区切情報を挿入して記録する挿入手段とを備え、該挿入手段は、予約番組の記録開始時刻から、所定延長時間より短く設定されている区切時間毎に、区切情報を挿入する様に構成してあることを特徴とする。
【手続補正３】
【補正対象書類名】明細書
【補正対象項目名】０００８
【補正方法】変更
【補正の内容】
【０００８】
本発明では、延長可番組の放送時間が延長された場合でも、予約番組を途切れることなく録画することが可能であり、また挿入される区切情報により、再生時及び編集時の作業性を向上させることが可能である。しかも本発明では、例えば５分等の区切時間毎に区切情報を挿入することにより、延長可番組の延長時間に関わらず、予約番組の再生時に予約番組の開始位置の検索を容易に行うことが可能である。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
放送される番組を受信する手段と、受信する番組の放送時刻を含む放送予定を示す電子番組表を取得する手段と、受信した番組を記録する手段と、番組の記録予約を受け付ける手段とを備える記録装置において、
電子番組表に基づいて、記録予約に係る予約番組と同じチャンネルで、予約番組の前に放送される番組に、放送時間が延長される可能性のある延長可番組の有無を判定する判定手段と、
該判定手段により、延長可番組があると判定した場合に、
予約番組の記録終了時刻を、予め設定されている所定延長時間分延長する延長手段と、
延長して記録する予約番組に時間的な区切位置を示す区切情報を挿入して記録する挿入手段と
を備え、
該挿入手段は、延長前に設定されている記録終了時刻に到達後、第１区切時間毎に区切情報を挿入する様に構成してあり、
前記挿入手段は、予約番組の記録開始時刻からの時間が、所定延長時間に相当する時間に到達後、第２区切時間毎に区切情報を挿入する様に構成してあり、
前記第１区切時間及び第２区切時間は、別々に設定することが可能である
ことを特徴とする記録装置。
【請求項２】
前記判定手段は、電子番組表により示される番組の名称、内容又は出演者に、予め設定されているキーワードが含まれている場合に、延長される可能性があると判定する様に構成してあることを特徴とする請求項１に記載の記録装置。
【請求項３】
前記延長手段は、放送再開から放送休止までに連続して放送される複数の番組の中で、延長可番組の放送後から放送休止までに放送される予約番組の記録終了時刻を延長する様に構成してあることを特徴とする請求項１又は請求項２に記載の記録装置。
【手続補正２】
【補正対象書類名】明細書
【補正対象項目名】０００７
【補正方法】変更
【補正の内容】
【０００７】
本発明に係る記録装置は、放送される番組を受信する手段と、受信する番組の放送時刻を含む放送予定を示す電子番組表を取得する手段と、受信した番組を記録する手段と、番組の記録予約を受け付ける手段とを備える記録装置において、電子番組表に基づいて、記録予約に係る予約番組と同じチャンネルで、予約番組の前に放送される番組に、放送時間が延長される可能性のある延長可番組の有無を判定する判定手段と、該判定手段により、延長可番組があると判定した場合に、予約番組の記録終了時刻を、予め設定されている所定延長時間分延長する延長手段と、延長して記録する予約番組に時間的な区切位置を示す区切情報を挿入して記録する挿入手段とを備え、該挿入手段は、延長前に設定されている記録終了時刻に到達後、第１区切時間毎に区切情報を挿入する様に構成してあり、前記挿入手段は、予約番組の記録開始時刻からの時間が、所定延長時間に相当する時間に到達後、第２区切時間毎に区切情報を挿入する様に構成してあり、前記第１区切時間及び第２区切時間は、別々に設定することが可能であることを特徴とする。
【手続補正３】
【補正対象書類名】明細書
【補正対象項目名】０００８
【補正方法】変更
【補正の内容】
【０００８】
本発明では、延長可番組の放送時間が延長された場合でも、予約番組を途切れることなく録画することが可能であり、また挿入される区切情報により、再生時及び編集時の作業性を向上させることが可能である。しかも本発明では、挿入される区切情報により、再生時及び編集時の作業性を向上させることが可能である。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】